(57)【要約】【課題】  本発明は、ディスクの着脱に係る機構を簡素化することができるフラットタイプのディスク再生装置を提供することを課題とする。【解決手段】  ディスク収納空間に配置されたターンテーブル２は、ディスクの着脱動作に連動するクランプ部材が設けられており、ターンテーブル２へのディスクの着脱をユーザが直接行えるようになっている。前面フレーム１の上部には、シャフト５が略水平に取り付けられており、シャフト５には、前面フレーム１に形成されたディスク収納空間を開閉する蓋部４が取り付けられている。蓋部４の上側には、シャフト５が貫装される穴が形成された突起部が延出されており、蓋部４は、シャフト５をガイド手段として前面フレーム１の前面を左右にスライドできるように構成されている。【選択図】        図１
2005302093.tif 000002
【特許請求の範囲】
【請求項１】
前面フレームにディスク状記録媒体が前記前面フレームと略平行に収納されるディスク収納空間が形成されているディスク再生装置であって、
前記ディスク収納空間に配置されたターンテーブルと、
該ターンテーブルに設けられ、前記ディスク状記録媒体の着脱動作に連動し、前記ディスク状記録媒体を前記ターンテーブルの載置面に押圧するクランプ部材と、
前記前面フレームの上部に略水平に取り付けられたシャフトと、
該シャフトに沿って前記前面フレームの前面を略水平方向にスライドして前記ディスク収納空間を開閉する蓋部とを具備することを特徴とするディスク再生装置。
【請求項２】
前記蓋部には、前記シャフトと平行で且つ歯が下方に向いたラック部が形成されており、
該ラック部に噛み合う位置に設けられたギアの回転によって前記蓋部をスライドさせることを特徴とする請求項１記載のディスク再生装置。
【請求項３】
前記前面フレームには、前記蓋部が開蓋状態である時に前記蓋部によって覆われる位置に表示部が設けられていることを特徴とする請求項１又は２記載のディスク再生装置。
【発明の詳細な説明】
【技術分野】
【０００１】
本発明は、コンパクトディスクやＤＶＤ等のディスク状記録媒体（以下、ディスクと称す）を再生するディスク再生装置に関し、特に機器の奥行きを薄くしたフラットタイプのディスク再生装置に関する。
【背景技術】
【０００２】
近年、液晶テレビに代表されるように機器の奥行きを薄くした、所謂フラットタイプのＡＶ機器が販売されており、居住空間を有効活用することができるため、好評を博している。
【０００３】
このようなフラットタイプのディスク再生装置においては、全体として縦型形状に形成されたキャビネットと、キャビネットの前面を上下方向に開閉する蓋体と、蓋体の閉蓋時は蓋体と相対するようにキャビネットに収納され、蓋体の開蓋時には蓋体の下方において前方に迫り出すべく移動可能に設置されたディスク再生ユニット部とを備え、ディスク再生ユニット部が前方に迫り出した状態で、ディスク 再生ユニット部のターンテーブルへのディスクの着脱が可能なように構成したものが提案されている（例えば、特許文献１参照）。
【０００４】
しかしながら、従来技術では、蓋体を重力に逆らって上下にスライドさせる機構と、ディスク再生ユニット部を前方に迫り出すように移動させる機構とが必要となり、ディスクの着脱に係る機構が複雑になってしまうという問題点があった。
【特許文献１】特開平８−７４２８号公報
【発明の開示】
【発明が解決しようとする課題】
【０００５】
本発明は斯かる問題点を鑑みてなされたものであり、その目的とするところは、蓋体を重力に逆らって上下にスライドさせる機構と、ディスク再生ユニット部を前方に迫り出すように移動させる機構とを必要とすることなく、ディスクの着脱に係る機構を簡素化することができるフラットタイプのディスク再生装置を提供する点にある。
【課題を解決するための手段】
【０００６】
本発明は上記課題を解決すべく、以下に掲げる構成とした。
本発明のディスク再生装置は、前面フレームにディスク状記録媒体が前記前面フレームと略平行に収納されるディスク収納空間が形成されているディスク再生装置であって、前記ディスク収納空間に配置されたターンテーブルと、該ターンテーブルに設けられ、前記ディスク状記録媒体の着脱動作に連動し、前記ディスク状記録媒体を前記ターンテーブルの載置面に押圧するクランプ部材と、前記前面フレームの上部に略水平に取り付けられたシャフトと、該シャフトに沿って前記前面フレームの前面を略水平方向にスライドして前記ディスク収納空間を開閉する蓋部とを具備することを特徴とする。
【０００７】
さらに、本発明のディスク再生装置は、前記蓋部には、前記シャフトと平行で且つ歯が下方に向いたラック部が形成されており、該ラック部に噛み合う位置に設けられたギアの回転によって前記蓋部をスライドさせることを特徴とする。
【０００８】
さらに、本発明のディスク再生装置は、前記前面フレームには、前記蓋部が開蓋状態である時に前記蓋部によって覆われる位置に表示部が設けられていることを特徴とする。
【発明の効果】
【０００９】
本発明のディスク再生装置は、前面フレームの上部に略水平に取り付けられたシャフトに沿って前面フレームの前面を略水平方向にスライドする蓋部によって、クランプ部材が設けられたターンテーブルが配置されているディスク収納空間を開閉するように構成することにより、蓋体を重力に逆らって上下にスライドさせる機構と、ディスク再生ユニット部を前方に迫り出すように移動させる機構とが必要することなく、ディスクの着脱に係る機構を簡素化することができるという効果を奏する。
【００１０】
さらに、本発明のディスク再生装置は、蓋部にシャフトと平行で且つ歯が下方に向いたラック部を形成し、当該ラック部に噛み合うギアの回転によって蓋部をスライドさせるように構成することにより、蓋部を少ない力でスムーズにスライドさせることができるという効果を奏する。
【００１１】
さらに、本発明のディスク再生装置は、蓋部が開蓋状態である時に蓋部によって覆われる位置に表示部を設けることにより、前面フレームの面積を有効活用することができるという効果を奏する。
【発明を実施するための最良の形態】
【００１２】
以下、本発明の実施の形態を図面に基づいて詳細に説明する。
【００１３】
図１は、本発明に係るディスク再生装置の実施の形態の閉蓋時の構成を示す前面図であり、図２は、本発明に係るディスク再生装置の実施の形態の開蓋時の構成を示す前面図である。図３は、図１および図２に示す蓋部の構成を示す図であり、（ａ）は、正面図であり、（ｂ）は、側面図であり、（ｃ）は、底面図であり、図４は、図１および図２に示すターンテーブルの構成を示す図である。
【００１４】
本実施の形態のディスク再生装置の前面フレーム１には、図１および図２を参照すると、
液晶ディスプレイ等の表示部３が設けられていると共に、ディスクが前面フレーム１と略平行に収納されるディスク収納空間が形成されており、当該ディスク収納空間には、ディスクが装着されるターンテーブル２が配置されている。
【００１５】
ターンテーブル２は、図４を参照すると、ディスクの着脱動作に連動するクランプ部材２１が設けられており、クランプ部材２１は、ターンテーブル２の回転中心より半径方向に弾性をもって移動自在に設けられ、装着されたディスクをターンテーブル２の載置面に押圧してディスクを保持するように構成され、ターンテーブル２へのディスクの着脱をユーザが直接行えるようになっている。
【００１６】
前面フレーム１の上部には、シャフト５が略水平に取り付けられており、シャフト５には、前面フレーム１に形成されたディスク収納空間を開閉する蓋部４が取り付けられている。蓋部４の上側には、図３を参照すると、シャフト５が貫装される穴が形成された突起部４１が延出されており、蓋部４は、シャフト５をガイド手段として前面フレーム１の前面を左右にスライドできるように構成されている。
【００１７】
蓋部４の裏面には、図３を参照すると、シャフト５に取り付けられた状態で、シャフト５と平行で且つ歯が下方に向いたラック部４２が形成されている。また、前面フレーム１には、図示しないモータによって回転するギア６が、蓋部４がシャフト５に取り付けられた状態で、蓋部４に形成されたラック部４２に噛み合う位置に設けられており、ギア６の回転によって蓋部４が左右にスライドされる。
【００１８】
蓋部４の下面には、図３を参照すると、蓋部４のスライドに伴って、前面フレーム１に取り付けられた開閉検出スイッチ７と当接する閉蓋時当接部４３と開蓋時当接部４４とが形成されている。
【００１９】
蓋部４が前面フレーム１に形成されたディスク収納空間を覆っている状態、すなわち図１に示す閉蓋状態で、図示しない蓋部４の開閉を指示する開閉指示スイッチを押下することにより、図示しないモータの駆動が開始されてギア６が時計回りに回転し、蓋部４がシャフト５に沿って図１に矢印で示す右側にスライドする。蓋部４が前面フレーム１に形成されたディスク収納空間を解放した状態、すなわち図２に示す開蓋状態に至ると、蓋部４の下面に形成された開蓋時当接部４４が開閉検出スイッチ７に当接し、図示しないモータの駆動が停止され、蓋部４のスライドが停止する。
【００２０】
蓋部４が図２に示す開蓋状態で、図示しない蓋部４の開閉を指示する開閉指示スイッチを押下することにより、図示しないモータの駆動が開始されてギア６が反時計回りに回転し、蓋部４がシャフト５に沿って図２に矢印で示す左側にスライドする。蓋部４が図１に示す閉蓋状態に至ると、蓋部４の下面に形成された閉蓋時当接部４３が開閉検出スイッチ７に当接し、図示しないモータの駆動が停止され、蓋部４のスライドが停止する。
【００２１】
図２に示す開蓋状態では、ディスクの着脱が行われ、表示部３の表示内容を確認する必要があまりないため、蓋部４が前面フレーム１に設けられている表示部３を覆うように構成されている。なお、開蓋状態においても表示部３を確認できるようにするためには、ターンテーブル２に装着されたディスクのレーベル面を確認するための透明な樹脂等からなる窓部４５を蓋部４に形成し、開蓋状態における窓部４５の位置に対向する場所に表示部３を設けるようにすれば良い。
【００２２】
以上説明したように、本実施の形態によれば、前面フレーム１の上部に略水平に取り付けられたシャフト５に沿って前面フレーム１の前面を略水平方向にスライドする蓋部４によって、クランプ部材２１が設けられたターンテーブル２が配置されているディスク収納空間を開閉するように構成することにより、蓋体４を重力に逆らって上下にスライドさせる機構と、ディスク再生ユニット部を前方に迫り出すように移動させる機構とを必要とすることなく、ディスクの着脱に係る機構を簡素化することができるという効果を奏する。
【００２３】
さらに、本実施の形態によれば、蓋部４にシャフト５と平行で且つ歯が下方に向いたラック部４２を形成し、ラック部４２に噛み合うギア６の回転によって蓋部４をスライドさせるように構成することにより、蓋部４を少ない力でスムーズにスライドさせることができるという効果を奏する。
【００２４】
さらに、本実施の形態によれば、蓋部４が開蓋状態である時に蓋部４によって覆われる位置に表示部３を設けることにより、前面フレーム１の面積を有効活用することができるという効果を奏する。
【００２５】
なお、本発明が上記各実施の形態に限定されず、本発明の技術思想の範囲内において、各実施の形態は適宜変更され得ることは明らかである。また、上記構成部材の数、位置、形状等は上記実施の形態に限定されず、本発明を実施する上で好適な数、位置、形状等にすることができる。なお、各図において、同一構成要素には同一符号を付している。
【図面の簡単な説明】
【００２６】
【図１】本発明に係るディスク再生装置の実施の形態の閉蓋時の構成を示す前面図である。
【図２】本発明に係るディスク再生装置の実施の形態の開蓋時の構成を示す前面図である。
【図３】図１および図２に示す蓋部の構成を示す図であり、（ａ）は、正面図であり、（ｂ）は、側面図であり、（ｃ）は、底面図である。
【図４】図１および図２に示すターンテーブルの構成を示す図である。
【符号の説明】
【００２７】
１  前面フレーム
２  ターンテーブル
３  表示部
４  蓋部
５  シャフト
６  ギア
７  開閉検出スイッチ
２１  クランプ部材
４１  突起部
４２  ラック部
４３  閉蓋時当接部
４４  開蓋時当接部
４５  窓部
【図１】
2005302093.tif 000003
【図２】
2005302093.tif 000004
【図３】
2005302093.tif 000005
【図４】
2005302093.tif 000006